(57)【要約】【課題】互いに電気的に接続された主照明回路モジュールと残光回路モジュールを含んだ新規な発光ダイオード灯具を提供すること。【解決手段】本発明による発光ダイオード灯具は、残光回路モジュールは直流定電圧装置を有し、この直流定電圧装置は主照明回路モジュールから直流電圧を得、さらには、安定した直流電圧を残光回路モジュールに提供する。電源が導入されたとき、前記直流定電圧装置は残光回路モジュールのエネルギー蓄積素子に充電電圧を提供し、電源が遮断された後、前記エネルギー蓄積素子が残光回路モジュールに対し放電する。残光回路モジュールは、残光照明負荷を駆動する電流制御装置をさらに含んでいる。【選択図】図２
2018101645.tif 000002
【特許請求の範囲】
【請求項１】
主照明駆動装置（１１０）および主照明負荷（１２０）を含み、前記主照明駆動装置（１１０）は前記主照明負荷（１２０）を駆動して発光させるのに用いられる主照明回路モジュール（１００）と、
前記主照明回路モジュール（１００）に電気的に接続され前記主照明回路モジュール（１００）が提供する直流分圧を受け取る直流定電圧回路装置（２１０）と、前記直流定電圧回路装置（２１０）に電気的に接続されるエネルギー蓄積素子（２２０）と、前記エネルギー蓄積素子（２２０）に電気的に接続される電流制御装置（２４０）と、電流制御装置（２４０）に駆動されて発光する残光照明負荷（２５０）と、を含む残光回路モジュール（２００）と、
を含む発光ダイオード灯具。
【発明の詳細な説明】
【技術分野】
【０００１】
本発明は、発光ダイオード技術において応用される発光ダイオード灯具に関し、特に、主照明負荷と残光照明負荷を同時に有し、主照明負荷が消灯したときに残光照明負荷を補助の残光光源とした発光ダイオード灯具に関するものを提供する。
【背景技術】
【０００２】
一般に、主照明としての灯具が消灯した後、暗闇のため、人間の目で方向を見分けることが急にできなくなるが、この場合、目が環境に適応するのを待つしかない。この問題を解決するため、電源遮断後に徐々に暗くなる方式の周知の照明灯具の構成ブロック図である図１を参照されたい。この、電源遮断後に徐々に暗くなる方式の周知の照明灯具は、灯体９０内に、充電制御ユニット９２、内蔵蓄電ユニット９３、光量漸減駆動制御ユニット９４、切替制御ユニット９６、および発光源９５が設けられている。商用電源９１が遮断されていないとき、切替制御ユニット９６が商用電源使用モードに切り替えられて、発光源９５を直接駆動して安定的に発光させるとともに、商用電源９１が充電制御ユニット９２を介して内蔵蓄電ユニット９３を充電する。商用電源９１が遮断されたとき、切替制御ユニット９６が、内蔵蓄電ユニット９３を使用する電力モードに切り替えられることで、光量漸減駆動制御ユニット９４によって発光源９５の発光輝度をコントロールし、明るい状態から暗い状態へと発光源９５の発光輝度を徐々に変えていく。
【０００３】
この、電源遮断後に徐々に暗くなる方式の照明灯具は、同一の発光源９５を主光源および残光源として採用していると共に同一の駆動回路を採用して主光源および残光源を駆動するが、一般に、残光源の輝度は、人間の目が暗闇の中で方位を大まかに認識できさえすればよいことが原則とされており、主光源ほどの輝度は必要ないため、発光源９５が同時に残光源とするほか、同一の駆動回路を採用して主光源および残光源を駆動することが、設計上、下記の問題に直面することがある。
【０００４】
１．高い動作電圧がＬＥＤ灯に採用されている場合、動作電流が小さく、ドライバの効率が高いため、発光源９５の動作電圧はＤＣ１５Ｖよりも例外なく高く、一般に、内蔵蓄電ユニット９３にはスーパーキャパシタやバッテリ等のエネルギー蓄積素子が採用され、その単体の電圧はいずれも数ボルトしかなく、発光源９５を採用して残光源とするのであれば、直列接続された複数のスーパーキャパシタまたはバッテリを使用しなければならず、そうでない場合は昇圧回路が必要であるが、そのようにすればコストが増加するだけでなく、回路基板の配置スペースを占有することにもなり、設計上の困難がもたらされる。
【０００５】
２．残光源の色が主光源の色と異なることが所望されることもあり得るが、１組の発光源９５しかない場合には、同じ１組の色しか採用することができず、主光源と残光源に異なる色のニーズが生じればニーズを満たすことができず、ひいては製品の競争力が失われる。
【０００６】
３.発光源９５は、輝度のニーズに応じるため、高い効率の発光ダイオードを採用することで所要の輝度を満たすことができる。また高い効率の発光ダイオードを残光光源として採用する場合、その定格電流値はほぼ残光工作電流値の数百倍となり、残光回路の制御が困難となってしまう。また、独立の低効率のＬＥＤを残光ＬＥＤとして使用する場合、その定格電流はほぼ残光工作電流値の数十倍となる。また、独立に電流フィードバック抵抗器を設けることが出来るため、残光回路の設計が簡単となる。
【０００７】
４．電源が遮断されれば、残光源が強制的に発光する為、残光源が不要なニーズに対応できない。
【０００８】
５．壁スイッチで電源を遮断した場合は、切替制御ユニットにより残光源へ切り替わるが、リモコン又は電力線通信制御で消灯した場合は、商用電源は遮断されていない為、残光源は発光しないので、足元が見える程度の明るさが確保できない。
【発明の概要】
【０００９】
この点に鑑み、上記の周知の欠点についてどのように研究・改良を行うこと、主灯の消灯時に残光の補助を提供すること、残光駆動回路の体積、エネルギー蓄積素子のタイプの多様な選択性、及び回路設計の複雑度を簡単化すること、並びに残光機能のニーズに応じて残光機能を有効/無効にさせること等が、まさに関連業界が研究に努めなければならない目標となっている。
【００１０】
上記の、従来技術の不十分な点を解決するため、本発明は、主照明回路モジュールおよび残光回路モジュールを含んだ発光ダイオード灯具を提供している。そのうち主照明回路モジュールは主照明駆動装置および主照明負荷を含み、前記主照明駆動装置は、前記主照明負荷を駆動して発光させるのに用いられる。残光回路モジュールは、前記主照明回路モジュールに電気的に接続され前記主照明回路モジュールが提供する直流分圧を受け取る直流定電圧回路装置と、前記直流定電圧回路装置に電気的に接続されるエネルギー蓄積素子と、前記エネルギー蓄積素子に電気的に接続される電流制御装置と、電流制御装置により駆動されて発光する残光照明負荷とを含む。
【００１１】
このため、本発明の主要な目的は、主照明負荷と残光照明負荷が主照明回路モジュールと残光回路モジュールにそれぞれ駆動されて発光し、主照明が消灯したときに残光の補助を提供し、主照明負荷と残光照明負荷が主照明と残灯の色に関するニーズに応じて適当に選択されることも可能である発光ダイオード灯具を提供することにある。
【００１２】
本発明の２番目に重要な目的は、残光照明負荷の動作電圧が主照明負荷の動作電圧から独立しており、エネルギー蓄積素子の電圧に応じて残光照明負荷の動作電圧を設定することができ、さらにはエネルギー蓄積素子の選択性を高める発光ダイオード灯具を提供することにある。
【００１３】
本発明のもう１つの目的は、電流制御装置を介して残光回路モジュールを作動させる発光ダイオード灯具を提供することにある。
【００１４】
本発明のさらにもう１つの目的は、安定した直流を直流定電圧装置によって残光回路モジュールに提供して機能させる発光ダイオード灯具を提供することである。
【００１５】
本発明のもう１つの目的は、主照明負荷よりも残光照明負荷の定格出力が小さく、且つ主照明回路モジュールと残光回路モジュールにそれぞれ電流フィードバック抵抗器が設けられており、簡単な回路で残光の機能を実現することができる発光ダイオード灯具を提供することにある。
【００１６】
本発明のもう１つの目的は、残光照明負荷が不要なニーズに応える為、スイッチを設けることで、残光照明負荷が入切可能とした。
【００１７】
本発明のもう１つの目的は、主照明回路モジュールと残光回路モジュールが同時に作動することが断路制御装置によって回避される発光ダイオード灯具を提供することである。
【００１８】
本発明のもう１つの目的は、リモコン等の操作によりマイコンに消灯信号が入力されると、マイコンが直流定電圧回路のエネルギー素子への電源供給をオフすると共に断路制御電源を遮断して残光回路モジュールを作動させ、エネルギー素子の放電により残光照明負荷を発光させることができることである。
【００１９】
本発明のもう１つの目的は、リモコン等の操作によりマイコンに消灯信号が入力されると、マイコンが主照明負荷用電源をオフして主照明負荷を消灯させると共にすると共に断路制御電源を遮断して残光回路モジュールを作動させる。この遮断信号はＰＷＭ信号とすることができる。ＰＷＭ信号のデューティレシオの変化により残光の輝度を変化させることができる。この遮断信号の作動時間は設定可能である。この時に、残光照明負荷が残光機能を発揮する。また作動時間を設定しなくても良い。この時に、残光照明負荷がナイトライトの機能を発揮する。また停電した場合、断路制御装置の電源が自ずと作動するので、緊急照明の機能を発揮する。
【００２０】
本発明のもう１つの目的は、ユーザーをしてやや暗い残光ノーマル点灯時の輝度に慣れさせるために、残光ノーマル点灯時の輝度よりも明るい輝度で残光照明負荷を発光させ、そして徐々に変化して残光ノーマル点灯時の輝度になる。この残光ノーマル点灯よりも明るい輝度は、主照明負荷の輝度又はそれよりも小さい輝度とすることができる。本発明のさらにもう１つの目的は、安定した直流電圧を直流定電圧装置によって残光回路モジュールに提供して機能させる発光ダイオード灯具を提供することである。
【００２１】
本発明は、利用されている発光ダイオードの原理が、当業者であれば理解可能なものとなっているダイオード灯具を開示しているので、以下の文中の説明では、全面的な記述は行わない。同時に、以下の文中で参照される図面は、本発明の特徴に関連する構造を表すものであり、実際の寸法通りに完全に作成されてはおらず、そのようにする必要もないことを合わせて予めはっきりと述べる。
【図面の簡単な説明】
【００２２】
【図１】提示された、電源遮断後に徐々に暗くなる方式の周知の照明灯具の構成ブロック図である。
【図２】本発明で提示された発光ダイオード灯具の構成ブロック図である。
【図３】本発明で提示された第１の好ましい実施形態の発光ダイオード灯具の構成ブロック図である。
【図４】本発明の図３に示した残光回路モジュールの概略図である。
【図５】（Ａ）〜（Ｃ）は、第１の好ましい実施形態で提示された残光回路モジュール中の電流制御装置の概略図である。
【図６】第１の好ましい実施形態で提示された残光回路モジュールのもう１つの実施状態を示した概略図である。
【図７】第１の好ましい実施形態で提示された残光回路モジュールのもう１つの実施状態を示した概略図である。
【図８】第１の好ましい実施形態で提示された残光回路モジュールのもう１つの実施状態を示した概略図である。
【図９】本発明で提示された第２の好ましい実施形態の発光ダイオード灯具の構成ブロック図であるである。
【図１０】本発明の図９に示した残光回路モジュールの概略図である。
【図１１】（Ａ）〜（Ｄ）は、第２の好ましい実施形態で提示された残光回路モジュール中の電流制御装置の概略図である。
【図１２】第２の好ましい実施形態で提示された残光回路モジュールのもう１つの実施状態を示した概略図である。
【図１３】本発明で提示された第３の好ましい実施形態の発光ダイオード灯具の構成ブロック図である。
【図１４】第３の好ましい実施形態で提示された残光回路モジュールのもう１つの実施状態を示した概略図である。
【図１５】本発明で提示された第４の好ましい実施形態の発光ダイオード灯具の構成ブロック図である。
【図１６】第４の好ましい実施形態で提示された残光回路モジュールのもう１つの実施状態を示した概略図である。
【図１７】本発明で提示された第５の好ましい実施形態の発光ダイオード灯具の構成ブロック図である。
【図１８】残光照明負荷の輝度変化のパターンを示したグラフィである。
【図１９】本発明で提示された第６の好ましい実施形態の発光ダイオード灯具の構成ブロック図である。
【図２０】本発明で提示された第７の好ましい実施形態の発光ダイオード灯具の構成ブロック図である。
【発明を実施するための形態】
【００２３】
本発明で提示された発光ダイオード灯具の構成ブロック図である図２を参照されたい。本発明の発光ダイオード灯具は、主照明回路モジュール１００と、主照明回路モジュール１００に電気的に接続される残光回路モジュール２００とを含んでいる。
【００２４】
前記主照明回路モジュール１００を構成する素子には、主照明駆動装置１１０と主照明負荷１２０が含まれており、主照明負荷１２０は、主照明駆動装置１１０に電気的に接続されることによって、この主照明駆動装置１１０により駆動される。前記残光回路モジュール２００を構成する素子には、直流定電圧装置２１０、エネルギー蓄積素子２２０、断路制御装置２３０、電流制御装置２４０、および残光照明負荷２５０が含まれている。
【００２５】
主照明負荷１２０は、1個又は複数個の発光ダイオードからなり、主照明負荷が複数の発光ダイオードからなる場合、複数の発光ダイオードは直列又は並列に接続される。同様に、残光照明負荷２５０は、1個又は複数個の発光ダイオードからなることができる。残光照明負荷が複数の発光ダイオードからなる場合、複数の発光ダイオードは直列又は並列に接続される。残光照明負荷の色が主照明負荷のと異なる必要がない場合、主照明負荷の一部又は全部の発光ダイオードを残光照明負荷として使用することが出来、以ってコストを低減させる。
【００２６】
発光ダイオード灯具の作動方式は次の通りである：直流定電圧装置２１０が主照明回路モジュールから直流分圧を得て、さらに変換して、残光回路モジュール２００の作動に必要な直流電圧を提供し、この直流電圧でエネルギー蓄積素子２２０を充電する。また、エネルギー蓄積素子２２０が電圧を固定させる方式は、直流定電圧装置２１０を並列接続することによることである。それによってエネルギー蓄積素子２２０の各回の放電の時間を固定することができると共に、過電圧が原因でエネルギー蓄積素子２２０が破損されないよう保護する。主照明回路モジュール１００の主照明駆動装置１１０の電源P が遮断されたとき、主照明負荷１２０も消灯し、このときエネルギー蓄積素子２２０は、電流制御装置２４０を介して残光照明負荷２５０に放電する。
【００２７】
主照明回路モジュール１００と残光回路モジュール２００の素子配置との接続関係について、次の通り詳しく説明する：
まず、本発明で提示された第１の好ましい実施形態の発光ダイオード灯具の構成ブロック図である図３と、図３に示した残光回路モジュールの概略図である図４を参照されたい。前記主照明回路モジュール１００の主照明駆動装置１１０は、スイッチング電力変換器（Switching Power Supply）またはリニア直流電源供給器（Linear DC Power Supply）である。この主照明駆動装置１１０は電源P に接続され、この電源Pは交流であってもよいし、直流であってもよい、交流を採用する場合、主照明駆動装置１１０を介して整流すれば直流に変換することができ、前記直流電圧は、さらに主照明駆動装置１１０を経れば直流分圧を提供することができる。
【００２８】
前記残光回路モジュール２００中の電流制御装置２４０は定電流回路を採用しているが、この定電流回路は種類が多く、集積回路またはコンポーネントを用いているものがあり、集積回路およびコンポーネントを用いているものがあり、以下は、ＰＮＰ−バイポーラトランジスタ（Bipolar Junction Transistor，BJT）、ＮＰＮ−バイポーラトランジスタ（Bipolar Junction Transistor，BJT）、Ｐチャネル電界効果トランジスタ（Field Effect Transistor，FET）またはＮチャネル電界効果トランジスタ（Field Effect Transistor，FET）を、定電流回路として採用した電流制御装置２４０を逐一説明する。
【００２９】
図３に示した残光回路モジュールは、ＰＮＰ−バイポーラトランジスタを定電流回路として採用した残光回路モジュール２００であり、この残光回路モジュール２００を構成する素子には、直流定電圧装置２１０、エネルギー蓄積素子２２０、断路制御装置２３０、電流制御装置２４０、および残光照明負荷２５０が含まれる。
【００３０】
前記電流制御装置２４０を構成する素子は第１のＰＮＰトランジスタ２４１と電圧設定素子２４２を含んでいる。そのうち第１のＰＮＰトランジスタ２４１のコレクタは残光照明負荷２５０の正極に接続され、且つ残光照明負荷２５０の負極は接地され、第１のＰＮＰトランジスタ２４１のベースは第１の抵抗器２４３を介して接地され、また、第１のＰＮＰトランジスタ２４１のエミッタと電圧設定素子２４２の間に第２の抵抗器２４４が接続して設けられ、この第２の抵抗器２４４は電流を検知することができる。
【００３１】
図５の（Ａ）〜（Ｃ）は電流制御装置の具体化した実施状態の概略図である。前記電圧設定素子２４２は、１個の第１のダイオード（図５の（Ａ）に示す通り）または第２のトランジスタ（図５の（Ｂ）に示す通り）または第１のツェナーダイオード（図５の（Ｃ）に示す通り）であってもよいし、それらを組合せたものでもよい。
【００３２】
前記断路制御装置２３０を構成する素子は、第２のダイオード２３１、第３の抵抗器２３２、および第１のキャパシタ２３３を含んでいる。そのうち第２のダイオード２３１の正極は、主照明負荷１２０の明滅又は主照明駆動装置１１０の電源Pが導通されたか否かを感知することができるいずれかの接点に接続することができ、且つ一方向にのみ導通して逆流を回避する。主照明負荷１２０が点灯又は主照明駆動装置１１０が導通されているときには、第２のキャパシタ２３３がフィルタリングを行って電圧を安定化させるとともに、第３の抵抗器２３２によって第１のＰＮＰトランジスタ２４１を切断し、主照明負荷１２０が消灯しているときには、第２のキャパシタ２３３が第３の抵抗器２３２に対し、第１の抵抗器２４３を経てアースに放電し、第１のＰＮＰトランジスタ２４１がオンされ、残光照明負荷２５０を動作させる。
【００３３】
前記エネルギー蓄積素子２２０は、キャパシタ、スーパーキャパシタ、またはバッテリであり、このエネルギー蓄積素子２２０が電流制御装置２４０に接続される。
【００３４】
前記直流定電圧装置２１０は直列接続型定電圧回路であり、その構成素子は、第１のＮＰＮトランジスタ２１１、第５の抵抗器２１２、および第３のツェナーダイオード２１５を含んでいる。そのうち第１のＮＰＮトランジスタ２１１のコレクタは、直流分圧を提供する主照明回路モジュール１００と、第５の抵抗器２１２とにそれぞれ接続され、また、第３のツェナーダイオード２１５の負極は、第１のＮＰＮトランジスタ２１１のベースと、第５の抵抗器２１２とにそれぞれ接続され、かつ、第３のツェナーダイオード２１５の正極は接地される。
【００３５】
図６は、第１の好ましい実施形態で提示された残光回路モジュールのもう１つの実施状態を示した概略図である。図６から見ると、残光照明負荷が不要なニーズに対応する為に、任意に入り切り出来る第１のスイッチ２５１を設けた。図６に示した電流制御装置２４０の中で、第１のスイッチ２５１は、電圧設定素子２４２と第２の抵抗器２４４の間、電圧設定素子２４２と第１の抵抗器２４３の間、電圧設定素子２４２と第１のＰＮＰトランジスタ２４１の間、エネルギー蓄積素子２２０と電流制御装置２４０の間のいずれかにもうけられることができる。ユーザーは第１のスイッチ２５１を介してエネルギー蓄積素子２２０から残光照明負荷までの給電経路に対し遮断又は確立を行うことができる。発光ダイオードに残光照明又は緊急照明の機能を無効させる場合、エネルギー蓄積素子から残光照明負荷までの給電経路を遮断することにより残光照明又は緊急照明の機能をオフすることができる。
【００３６】
また、リモコン又は電力線通信で消灯した場合、主照明駆動装置１１０と主照明負荷１２０の間、又は主照明駆動装置１１０内に第３のスイッチ(図示しない)を設けることが出来る。第３のスイッチは主照明負荷１２０への電源供給を遮断又は確立するために用いられる。また、第２のスイッチ２５２はマイコン又は制御回路からの消灯信号が入力され、マイコン又は制御回路によりオフされると共に主照明負荷の残光照明負荷及びエネルギー蓄積素子への電源供給が遮断される。断路制御装置２３０は主照明負荷１２０の消灯が原因で残光照明負荷を起動して発光させると共にエネルギー蓄積素子２２０のエネルギーを消耗する。第２のスイッチ２５２は直流定電圧装置２１０とエネルギー蓄積素子２２０の間、又は主照明回路モジュール１００と直流定電圧装置２１０の間に設けられる。第２のスイッチ２５２および第３のスイッチは指定の信号を受けて回路を開閉することが出来る素子であり、例えばＰチャネルトランジスタ、Ｎチャネルトランジスタ、ＰＮＰトランジスタ、ＮＰＮトランジスタ、フォトカプラ（Ｐｈｏｔｏ  Ｃｏｕｐｌｅｒ）、リレー等で、所望の機能を満足すれば素子を特定するものではない。主照明負荷の発光ダイオード灯列から直流電源を取り出して直流定電圧装置２１０に供給した場合、主照明負荷１２０の消灯時にこの直流電源の供給が中止されるので、この場合、第２のスイッチ２５２のデザインが必要にならない。また、リモコン又は電力線通信などで消灯した場合、ほかの実施状態を以下のように示す。主照明駆動装置１１０と主照明負荷１２０の間、又は主照明駆動装置１１０内に第３のスイッチ(図示しない)を設けることが出来る。第３のスイッチは主照明負荷１２０への電源供給を遮断又は確立するために用いられる。マイコンがオフ信号を受けて、第３のスイッチをオフさせると共に主照明負荷１２０が消灯する。この時に第２のスイッチ２５２を設けずに、マイコンが直接に断路制御装置２３０を制御して残光照明負荷２５０を発光させる。マイコンのタイマーにより残光点灯の時間を設定することが出来る。この制御信号はＰＷＭ信号とすることができる。デューティレシオ（ｄｕｔｙ  ｒａｔｉｏ）の設定により残光点灯の輝度を制御することが出来、マイコンのタイマー設定の有無により残光照明負荷２５０は残光又はナイトライトとして機能することが出来る。また停電した場合、断路制御モジュール２３０が強制的に残光照明負荷２５０を起動して発光させる緊急照明灯としての機能を有する。
【００３７】
図７は、第１の好ましい実施形態で提示された残光回路モジュールのもう１つの実施状態を示した概略図である。図７から見ると、前記直流定電圧装置２１０を構成する素子には、３端子レギュレータ２１６を選択して使用することができ、この３端子レギュレータ２１６は、入力端子２１６１、出力端子２１６２、および共通端子２１６３を有する。主照明回路モジュール１００が提供する直流分圧を入力端子２１６１に接続させると共に出力端子２１６２を蓄積素子２２０に接続させ、共通端子２１６３は直接接地される。
【００３８】
ＰＮＰ−バイポーラトランジスタを定電流回路として採用した残光回路モジュール２００がどのようにして定電流を達成するかについては、以下の説明を参照されたい。
【００３９】
主照明回路モジュール１００の主照明駆動装置１１０の電源P が遮断されたとき、主照明負荷１２０も消灯するが、このとき、エネルギー蓄積素子２２０が残光照明負荷２５０に対し放電し、残光照明負荷２５０を点灯させ、第２の抵抗器２４４が第１のＰＮＰトランジスタ２４１のエミッタに直列接続され、電圧設定素子２４２、第１の抵抗器２４３、および第１のＰＮＰトランジスタ２４１のベースが並列接続されるので、第１のＰＮＰトランジスタ２４１のエミッタおよびベースの電圧と第２の抵抗器２４４の電圧との和は固定される。よって第２の抵抗器２４４を流れる電流も固定され、第１のＰＮＰトランジスタ２４１のコレクタ電流も同じく固定される。残光照明負荷２５０の電流が固定されれば、それに伴って発光強度も固定される。このときの輝度は、残光照明負荷２５０が発生する残光の輝度であり、エネルギー蓄積素子２２０は、第２の抵抗器２４４を流れる電流が設定電流を下回って再び定電流状態にはならず、最後に残光照明負荷２５０が消灯するまで放電し続ける。また、主照明回路モジュール１００と残光回路モジュール２００については、同時に作動するのを断路制御装置２３０によって回避する。つまり、主照明回路モジュール１００の主照明負荷１２０が点灯しているとき、断路制御装置２３０が前記残光回路モジュール２００の残光照明負荷２５０の点灯を制限する。
【００４０】
図８は、第１の好ましい実施形態で提示された残光回路モジュールのもう１つの実施状態を示した概略図である。図８から見ると、図８と同様に同じ箇所に残光照明負荷が不要なニーズに対応する為に、任意に入り切り出来る第１のスイッチ２５１と、リモコン等での消灯時に、残光照明負荷が発光するように第２のスイッチ２５２をそれぞれ追加した実施形態である。
【００４１】
図９は、本発明で提示された第２の好ましい実施形態の発光ダイオード灯具の構成ブロック図であり、図１０は、図９に示した残光回路モジュールの概略図である。そのうち、残光回路モジュールはＮＰＮ−バイポーラトランジスタ型の残光回路モジュール２００であり、第２の好ましい実施形態と第１の好ましい実施形態の主照明回路モジュール１００は同じであり、ここでは無用な詳述を繰り返さない。この残光回路モジュール２００を構成する素子は、直流定電圧装置２１０、エネルギー蓄積素子２２０、断路制御装置２３０、電流制御装置２４０、および残光照明負荷２５０を含んでいる。
【００４２】
前記電流制御装置２４０を構成する素子は、電圧設定素子２４２、第１の抵抗器２４３、第２の抵抗器２４４、および第１のＮＰＮトランジスタ２４５を含んでいる。そのうち第１のＮＰＮトランジスタ２４５は、コレクタが残光照明負荷２５０の負極に接続され、エミッタが第２の抵抗器２４４に接続されて接地され、電圧設定素子２４２は、第１のＮＰＮトランジスタ２４５のベースと第２の抵抗器２４４にそれぞれ接続され、かつ、第１のＮＰＮトランジスタ２４５のベースは第１の抵抗器２４３を介してエネルギー蓄積素子２２０に接続される。
【００４３】
図１１の（Ａ）〜（Ｄ）は、電流制御装置の具体の実施状態を示した概略図である。前記電圧設定素子２４２は、第２のＮＰＮトランジスタ（図１１の（Ａ）に示す通り）または第１のダイオード（図１１の（Ｂ）に示す通り）またはツェナーダイオード（図１１の（Ｃ）に示す通り）、またはツェナーダイオードに直列接続される第１のダイオード（図１１の（Ｄ）に示す通り）とすることができる。
【００４４】
前記断路制御装置２３０を構成する素子は、第３の抵抗器２３２、第３のＮＰＮトランジスタ２３４、第４の抵抗器２３５、および第２のツェナーダイオード２３６を含んでいる。そのうち第３のＮＰＮトランジスタ２３４のコレクタは第１のＮＰＮトランジスタ２４５のベースに接続され、第３のＮＰＮトランジスタ２３４のエミッタは接地され、また、第４の抵抗器２３５の一端は、主照明負荷１２０の明滅を感知することができるいずれかの接点に接続することができ、第４の抵抗器２３５と第３の抵抗器２３２は分圧を設定するのに用いられ、かつ、第１のＮＰＮトランジスタ２４５をスイッチングするのに用いられ、第２のツェナーダイオード２３６の利用により、残光照明負荷２５０が点灯する速度を高めることができる。
【００４５】
前記エネルギー蓄積素子２２０はキャパシタ、スーパーキャパシタ、またはバッテリであり、このエネルギー蓄積素子２２０は残光照明負荷２５０の正極に接続される。
【００４６】
前記直流定電圧装置２１０は並列接続型定電圧回路であり、その構成素子は第５の抵抗器２１２と第３のツェナーダイオード２１５を含んでいる。そのうち第５の抵抗器２１２の一端は直流分圧を提供する主照明回路モジュール１００に接続され、他端は第３のツェナーダイオード２１５の負極に接続されるとともにエネルギー蓄積素子２２０に並列接続され、第３のツェナーダイオード２１５の正極は接地される。
【００４７】
ＮＰＮ−バイポーラトランジスタを定電流回路として採用した残光回路モジュール２００がどのようにして定電流を達成するかについては、以下の説明を参照されたい。
【００４８】
主照明回路モジュール１００の主照明駆動装置１１０の電源P が遮断されたとき、主照明負荷１２０も消灯するが、このとき、エネルギー蓄積素子２２０が残光照明負荷２５０に対し放電し、残光照明負荷２５０を点灯させ、第１のＮＰＮトランジスタ２４５のエミッタは第２の抵抗器２４４に直列接続され、かつ、第１のＮＰＮトランジスタ２４５のベースと第１の抵抗器２４３が電圧設定素子２４２に並列接続されて、ベースおよびエミッタの電圧と第２の抵抗器２４４の電圧との和を固定させるので、第２の抵抗器２４４を流れる電流も固定され、第１のＮＰＮトランジスタ２４５のコレクタ電流も同じく固定され、残光照明負荷２５０の電流が固定されれば、それに伴って発光強度も固定される。
【００４９】
図１２は、第２の好ましい実施形態で提示された残光回路モジュールのもう１つの実施状態を示した概略図である。図１２からみると、残光照明負荷が不要なニーズに対応する為に、任意に入り切り出来る第１のスイッチ２５１を設けた。図１２に示した電流制御装置２４０の中で、第１のスイッチ２５１は電圧設定素子２４２と第１の抵抗器２４３の間、電圧設定素子２４２と第１のＮＰＮトランジスタ２４５の間、電圧設定素子２４２と残光照明負荷２５０の間、エネルギー蓄積素子２２０と電流制御装置２４０の間のいずれかに設けることができる。
【００５０】
また、リモコンまたは電力線通信等での消灯時に、残光照明負荷が発光するように第２のスイッチにマイコンまたは制御回路からの消灯の信号が入力されたとき、マイコンまたは制御回路により第２のスイッチ２５２がオフされ、主照明回路モジュール１００の残光照明負荷とエネルギー蓄積素子への電源供給を遮断することで、断路制御装置２３０は主照明負荷１２０の消灯により残光照明負荷を起動して発光させると共にエネルギー蓄積素子２２０のエネルギーを消費する。第２のスイッチ２５２は直流定電圧装置２１０とエネルギー蓄積素子２２０の間に設けられる。第２のスイッチ２５２は直流定電圧装置２１０とエネルギー蓄積素子２２０の間に設けられる。第２のスイッチ２５２は指定の信号を受けて回路を開閉することが出来る素子であり、Ｐチャネルトランジスタ、Ｎチャネルトランジスタ、ＰＮＰトランジスタ、ＮＰＮトランジスタ、フォトカプラ（ＰＨＯＴＯ  ＣＯＵＰＬＥＲ）、リレー等で、機能を満足すれば素子を特定するものではない。主照明負荷の発光ダイオード灯列から直流電源を取り出して直流定電圧装置２１０に供給した場合、主照明負荷１２０の消灯時にこの直流電源の供給が中止されるので、この場合、第２のスイッチ２５２のデザインが必要にならない。
【００５１】
また、リモコン又は電力線通信などで消灯した場合、ほかの実施状態を以下のように示す。主照明駆動装置１１０と主照明負荷１２０の間、又は主照明駆動装置１１０内に第３のスイッチ(図示しない)を設けることが出来る。第３のスイッチは主照明負荷１２０への電源供給を遮断又は確立するために用いられる。マイコンがオフ信号を受けて、第３のスイッチをオフさせると共に主照明負荷１２０が消灯する。この時に第２のスイッチ２５２を設けずに、マイコンが直接に断路制御装置２３０を制御して残光照明負荷２５０を起動して発光させる。マイコンのタイマーにより残光点灯の時間を設定することが出来る。この制御信号はＰＷＭ信号であってもよい。デューティレシオ（ｄｕｔｙ  ｒａｔｉｏ）の設定により残光点灯の輝度を制御することが出来、マイコンのタイマー設定の有無により残光照明負荷２５０は残光又はナイトライトとして機能することが出来る。また停電した場合、断路制御モジュール２３０が強制的に残光照明負荷２５０を起動して発光させる緊急照明灯としての機能を有する。上記で言及したＮＰＮ−バイポーラトランジスタ型およびＰＮＰ−バイポーラトランジスタ型の残光回路モジュール２００は、その断路制御装置２３０、電流制御装置２４０、および残光照明負荷２５０が入れ替え可能であり、つまり、図３と９における電流制御装置２４０、残光照明負荷２５０、および断路制御装置２３０は互いに入れ替え可能である。
【００５２】
図示しないが、残光回路モジュール２００におけるＮＰＮトランジスタ２３４に代えて、金属酸化物半導体電界効果トランジスタ（ＭＯＳＦＥＴ）を採用してもよい。
【００５３】
本発明で採用された残光照明負荷２５０の動作電圧と主照明負荷１２０の動作電圧の両者は独立しているため、動作電圧は、入手が容易なエネルギー蓄積素子２２０に基づいて設計することができ、エネルギー蓄積素子２２０の選択性も高まる。また、残光源として残光照明負荷２５０を採用した場合、主照明負荷１２０よりも残光照明負荷２５０の定格出力が小さく、且つ主照明負荷１２０と残光照明負荷２５０にそれぞれ電流フィードバック抵抗器が設けられており、簡単な回路で残光回路の複雑度を簡単化することができる。
【００５４】
また、エネルギー蓄積素子２２０にキャパシタまたはスーパーキャパシタを採用する場合、直流定電圧回路装置２１０は、直列接続型定電圧回路、並列接続型定電圧回路、スイッチングレギュレータ、または３端子レギュレータ２１６とすることができる。ただし、エネルギー蓄積素子２２０にバッテリを採用する場合、直流定電圧回路装置２１０はバッテリ充電回路とするのがよい。
【００５５】
本発明で提示された第３の好ましい実施形態の発光ダイオード灯具の構成ブロック図である図１３を参照されたい。図１３に示した残光回路モジュールはＰチャネル電界効果トランジスタ型の残光回路モジュール２００であり、この残光回路モジュール２００を構成する素子は同様に、直流定電圧装置２１０、エネルギー蓄積素子２２０、断路制御装置２３０、電流制御装置２４０、および残光照明負荷２５０を含んでいるが、ＰＮＰ−バイポーラトランジスタ型残光回路モジュールと異なる点は次の通りである：第３の好ましい実施形態の電流制御装置２４０は第１のＰチャネルトランジスタ２４６を採用しており、第１の好ましい実施形態の第１のＰＮＰトランジスタ２４１は採用しておらず、第１のＰチャネルトランジスタ２４６のソースが第１のＰＮＰトランジスタ２４１のエミッタに対応し、第１のＰチャネルトランジスタ２４６のドレインが第１のＰＮＰトランジスタ２４１のコレクタに対応し、第１のＰチャネルトランジスタ２４６のゲートが第１のＰＮＰトランジスタ２４１のベースに対応し、残光照明負荷２５０の正極を第１のＰチャネルトランジスタ２４６のドレインに接続させる。これ以外の回路接続および作動方式は第１の好ましい実施形態と同じであり、ここでは無用な詳述を繰り返さない。
【００５６】
図１４は、第３の好ましい実施形態で提示された残光回路モジュールのもう１つの実施状態を示した概略図である。図１４からみると、残光照明負荷が不要なニーズに対応する為に、任意に入り切り出来る第１のスイッチ２５１と、リモコン等での消灯時に、残光照明負荷が発光するように第２のスイッチ２５２をそれぞれ追加した実施形態である。
【００５７】
本発明で提示された第４の好ましい実施形態の発光ダイオード灯具の構成ブロック図である図１５を参照されたい。図１５に示した残光回路モジュールは、Ｎチャネル電界効果トランジスタ型の残光回路モジュール２００であり、この残光回路モジュール２００を構成する素子は同様に、直流定電圧装置２１０、エネルギー蓄積素子２２０、断路制御装置２３０、電流制御装置２４０、および残光照明負荷２５０を含んでいるが、ＮＰＮ−バイポーラトランジスタ型残光回路モジュールと異なる点は次の通りである：第４の好ましい実施形態の電流制御装置２４０は第１のＮチャネルトランジスタ２４７を採用しており、第２の好ましい実施形態の第１のＮＰＮトランジスタ２４５は採用しておらず、第１のＮチャネルトランジスタ２４７のソースが第１のＮＰＮトランジスタ２４５のエミッタに対応し、第１のＮチャネルトランジスタ２４７のドレインが第１のＮＰＮトランジスタ２４５のコレクタに対応し、第１のＮチャネルトランジスタ２４７のゲートが第１のＮＰＮトランジスタ２４５のベースに対応し、残光照明負荷２５０の負極は第１のＮチャネルトランジスタ２４７のドレインに接続される。これ以外の回路接続および作動方式は第２の好ましい実施形態と同じであり、ここでは無用な詳述を繰り返さない。
【００５８】
図１６は、第４の好ましい実施形態で提示された残光回路モジュールのもう１つの実施状態を示した概略図である。図１６からみると、残光照明負荷が不要なニーズに対応する為に、任意に入り切り出来る第１のスイッチ２５１と、リモコン等での消灯時に、残光照明負荷が発光するように第２のスイッチ２５２をそれぞれ追加した実施形態である。
【００５９】
図１７は、本発明の第５の好ましい実施形態の発光ダイオード灯具を模式的に示す概略図である。
【００６０】
本実施形態の特点は、残光照明負荷のビーム、輝度を変化させる制御にある。主照明負荷が停電や断電が原因で消灯した時に残光照明負荷を起動するのを特徴としている。残光照明負荷の点灯により室内が真っ暗にならないので、ユーザーは周辺の状況を認識できて自身の安全を確保できる上記の実施形態らは、更に残光回路モジュール２００に残光照明負荷制御部２７０が追加された。残光照明負荷制御部２７０が残光照明負荷用電源２６０と残光照明負荷２５０とに接続される。図示しないが、残光照明負荷用電源２６０は上記の各実施形態の直流低電圧装置と、エネルギー素子及び断路制御装置などからなるものであってもよい。残光照明負荷２５０は上記の各実施形態の電流制御装置を整合することができる。残光照明負荷制御部２７０で残光照明負荷２５０のビームや輝度を制御する。それは、例えば主照明負荷１２０が消灯した後の短い期間内、残光照明負荷２５０は残光ノーマル点灯時よりも高い輝度で発光させられて徐々に残光ノーマル点灯時の輝度になることが挙げられる。残光照明負荷２５０の輝度変化パターンが図１８に示す。そのうち、発光ダイオード灯具の輝度は主照明負荷の作動期間において一定に維持され、残光照明負荷の作動時間において徐々に低減されるようにしている。
【００６１】
主照明負荷１２０の照明から残光照明負荷の照明に切り替わった後、既に主照明負荷１２０の輝度に適している目がやや暗い残光照明負荷２５０の輝度に適するのはある時間を有する。その適応に必要な時間を極めて短縮するため、残光照明負荷２５０の輝度制御を行う。それは残光照明負荷２５０が点灯した直後、明るい状態で光らせる。そして残光ノーマル点灯時の輝度まで輝度を変更し続ける。以ってユーザーが残光照明負荷の輝度に適し得る。残光照明負荷制御部２７０はタイマー回路及び電流測定回路などからなる構成であってもよい。例えば、電流測定回路で定電流回路（即ち電流制御装置）のフィードバック電流を測定すると共に残光照明負荷の輝度の制御を行い、以って一定の時間内に明るい状態を維持する。その後リニアー又はその他の方式で残光照明負荷の輝度を低減する。
【００６２】
輝度の制御、輝度の変化のパターンは図１８に示したものに限るものではない。場合によって明るい状態から暗い状態に、または明るい状態から暗い状態、さらに明るい状態になるよう変化して良い。
【００６３】
このほか、残光照明負荷が間もなく終了すること又は残光照明負荷の発光経過時間をユーザーに通知するために、点滅動作などを行なっても良い。
【００６４】
上述の予定した輝度変化パターンにより制御を行う外、図１７に示した実施形態は、任意値の電流に残光照明負荷を流れる制御に用いられることも可能である、例えば、ユーザーが任意の電流またはＰＷＭデューティレシオを選択することにより、残光照明負荷の輝度の選択が可能である。当然、流れる電流が大きいほど残光照明負荷の輝度が高まるが残光照明負荷の発光時間が短くなる。逆に、流れる電流を少なくすると、残光照明負荷の輝度が低下するが残光照明負荷の発光時間を延ばすことができる。つまり、ユーザーが残光照明負荷の輝度及び残光照明負荷の発光期間を選択し得ることを特徴とする回路構成を形成している。
【００６５】
図１９は、本発明で提示された第６の好ましい実施形態の発光ダイオード灯具を模式的に示す概略図である。図１７に示した実施形態と異なる点は次の通りである：図１９に示した実施形態の残光照明負荷は、第１のサブ残光照明負荷２５０Ａと第２のサブ残光照明負荷２５０Ｂが含まれ、残光照明負荷用電源２６０は負荷切替回路２８０を介して第１のサブ残光照明負荷２５０Ａと第２のサブ残光照明負荷２５０Ｂに接続され、以って第１のサブ残光照明負荷２５０Ａと第２のサブ残光照明負荷  ２５０Ｂとを交替に作動させる。タイマー回路及び電流測定回路などからなる残光照明負荷制御部２７０は残光照明負荷用電源２６０、負荷切替回路２８０及び第１のサブ残光照明負荷２５０Ａに接続される。第１のサブ残光照明負荷２５０Ａと第２のサブ残光照明負荷２５０Ｂとが、互いに異なる色光を発する照明負荷になるよう構成されることが可能である。例えば、第１のサブ残光照明負荷２５０Ａは緑光を発する照明負荷、第２のサブ残光照明負荷２５０Ｂは青色を発する照明負荷になるよう構成される。然し本発明はこの限定にならない。第１のサブ残光照明負荷２５０Ａと第２のサブ残光照明負荷２５０Ｂとが、同一の色光を発する照明負荷になるよう構成しても良い。
【００６６】
本実施形態の特徴は、残光照明負荷の色変化の制御にある。視感度の関係から、主照明負荷が消灯して残光照明負荷に切り替わった直後、波長が５００ｎｍ付近の緑光が発する。また、ユーザーに残光照明負荷の発光時間が間もなく終了することなどを通知するように発光色を変更し、又はユーザーが好んだ色を設定することができる。それは、例えば電流測定回路で定電流回路のフィードバック電流を測定すると共に一定の時間で緑光を発した後、残光照明負荷の発光色を青光などに変更する制御を行う。
【００６７】
図１９に示した実施形態は２つの出力の例であるが、ＲＧＢの三つの出力であってもよいし、三つ以上の出力であってもよい。ＲＧＢを備えた素子であるＬＥＤで色温度を徐々に変化させる制御であってもよい。
【００６８】
発光色の変化パターンに関し、緑−青−緑−青などの色を順に短時間に変化させる構成されても良い。
【００６９】
さらに、ユーザーに色温度を任意に設定させる回路構成を設けて良い。
【００７０】
図２０は、本発明で提示された第７の好ましい実施形態の発光ダイオード灯具を示した概略図である。
【００７１】
図１７に示した実施形態と異なる点は次の通りである：図２０に示した実施形態のうち、残光照明負荷制御部２７０は電流測定回路とタイマー回路およびＰＷＭ制御回路２７１などからなる。図１７に示した実施形態の場合、残光照明負荷のオン・オフすることにより、残光照明負荷を点滅させる。図１９に示した実施形態の場合、切替回路を介して残光照明負荷１と残光照明負荷２とを交替に動作させることができ、以って残光照明負荷が点滅する。
【００７２】
図２０に示した実施形態は、PWM制御回路２７１を介して残光照明負荷を任意の周波数又は任意のデューティレシオで点滅させ、以って残光照明負荷の総発光時間を延ばすことを特徴としている。人間の目が点滅現像が見付らない１００Hz程（１００Hz以上又は以下であってもよい）の周波数で残光照明負荷を点滅させることは、従来の直流点灯よりも残光照明負荷の輝度及び発光の時間を向上させることができる。
【００７３】
本発明は上述の各実施形態に限るものではない。本発明の啓発により本発明の属する技術分野における通常の知識を有する者が複数の実施形態の回路を使用してなる回路構成又は異なる機能を組合せてなる回路構成を作成し得、一個又は複数個の実施形態の一部又は全部の特徴はその他の実施形態の一部又は全部の特徴と組み合わせて良いことが理解されたい。
【００７４】
以上で述べたのは本発明の好ましい実施形態であるに過ぎず、本発明が出願する特許請求の範囲の権利を制限するのに用いられるものではない；同時に、以上の記述は、当業者にとっては理解して実施可能なものであるため、本発明により開示された本質を逸脱することなく遂行された同等の変更または修飾は、下記の特許請求の範囲に含まれていなければならない。
［発明の項目］
［項目１］
主照明駆動装置（１１０）および主照明負荷（１２０）を含み、前記主照明駆動装置（１１０）は前記主照明負荷（１２０）を駆動して発光させるのに用いられる主照明回路モジュール（１００）と、
前記主照明回路モジュール（１００）に電気的に接続され前記主照明回路モジュール（１００）が提供する直流分圧を受け取る直流定電圧回路装置（２１０）と、前記直流定電圧回路装置（２１０）に電気的に接続されるエネルギー蓄積素子（２２０）と、前記エネルギー蓄積素子（２２０）に電気的に接続される電流制御装置（２４０）と、電流制御装置（２４０）に駆動されて発光する残光照明負荷（２５０）と、を含む残光回路モジュール（２００）と、
を含む発光ダイオード灯具。
［項目２］
前記電流制御装置（２４０）は、第１のＮＰＮトランジスタ（２４５）を含み、残光照明負荷（２５０）の負極が前記第１のＮＰＮトランジスタ（２４５）のコレクタに接続され、前記電流制御装置（２４０）は、前記第１のＮＰＮトランジスタ（２４５）に接続される電圧設定素子（２４２）をさらに含んでいる項目１に記載の発光ダイオード灯具。
［項目３］
前記電流制御装置（２４０）は第１のＮチャネルトランジスタ（２４７）を含み、残光照明負荷（２５０）の負極が前記第１のＮチャネルトランジスタ（２４７）のドレインに接続され、前記電流制御装置（２４０）は前記第１のＮチャネルトランジスタ（２４７）に接続される電圧設定素子（２４２）をさらに含んでいる項目１に記載の発光ダイオード灯具。
［項目４］
前記電圧設定素子（２４２）は、第２のＮＰＮトランジスタと、第１のダイオードと、第１のツェナーダイオードとの組み合わせにより構成される群から選ばれる項目２に記載の発光ダイオード灯具。
［項目５］
前記電圧設定素子（２４２）は、第２のＮＰＮトランジスタと、第１のダイオードと、第１のツェナーダイオードとの組み合わせにより構成される群から選ばれる項目３に記載の発光ダイオード灯具。
［項目６］
前記電流制御装置（２４０）は第１のＰＮＰトランジスタ （２４１）を含み、前記残光照明負荷 （２５０）の正極が前記第１のＰＮＰトランジスタ （２４１）のコレクタに接続され、前記電流制御装置（２４０）は、前記第１のＰＮＰトランジスタ （２４１）に接続される電圧設定素子（２４２）をさらに含んでいる項目１に記載の発光ダイオード灯具。
［項目７］
前記電流制御装置（２４０）は第１のＰチャネルトランジスタ（２４６）を含み、前記残光照明負荷 （２５０）の正極が前記第１のＰチャネルトランジスタ（２４６）のドレインに接続され、前記電流制御装置（２４０）は、前記第１のＰチャネルトランジスタ（２４６）に接続される電圧設定素子（２４２）をさらに含んでいる項目１に記載の発光ダイオード灯具。
［項目８］
前記電圧設定素子（２４２）は第２のＰＮＰトランジスタと、第１のダイオードと、第１のツェナーダイオードとの組み合わせにより構成される群から選ばれる項目６に記載の発光ダイオード灯具。
［項目９］
前記電圧設定素子（２４２）は第２のＰＮＰトランジスタと、第１のダイオードと、第１のツェナーダイオードとの組み合わせにより構成される群から選ばれる項目７に記載の発光ダイオード灯具。
［項目１０］
前記直流定電圧回路装置（２１０）は直列接続型定電圧回路であり、前記直列接続型定電圧回路は、第１のＮＰＮトランジスタ（２１１）と、第５の抵抗器（２１２）と、および第３のツェナーダイオード（２１５）を含み、前記第３のツェナーダイオード（２１５）の負極は、第１のＮＰＮトランジスタ（２１１）のベースに接続される項目１に記載の発光ダイオード灯具。
［項目１１］
前記直流定電圧回路装置（２１０）は並列接続型定電圧回路であり、前記直流定電圧回路装置（２１０）は第５の抵抗器（２１２）と第３のツェナーダイオード（２１５）とを含み、前記第３のツェナーダイオード（２１５）の負極は前記第５の抵抗器（２１２）に接続される項目１に記載の発光ダイオード灯具。
［項目１２］
前記直流定電圧回路装置（２１０）は３端子レギュレータ（２１６）である項目１に記載の発光ダイオード灯具。
［項目１３］
前記直流定電圧回路装置（２１０）はスイッチングレギュレータである項目１に記載の発光ダイオード灯具。
［項目１４］
前記直流定電圧回路装置（２１０）はバッテリ充電回路である項目１に記載の発光ダイオード灯具。
［項目１５］
前記残光照明負荷（２５０）の定格出力は前記主照明負荷（１２０）の定格出力よりも低い、項目１に記載の発光ダイオード灯具。
［項目１６］
前記残光照明負荷（２５０）の動作電圧は前記主照明負荷（１２０）の動作電圧よりも低い、項目１に記載の発光ダイオード灯具。
［項目１７］
前記主照明負荷は複数の発光ダイオードからなり、前記主照明負荷の一部又は全部の発光ダイオードは残光照明負荷として用いられる項目１に記載の発光ダイオード灯具。
［項目１８］
前記残光回路モジュール（２００）は更に、前記電流制御装置（２４０）に設けられ前記エネルギー蓄積素子（２２０）から前記残光照明負荷（２５０）への給電経路に対し遮断又は確立するのに用いられる第１のスイッチ（２５１）を含む項目１に記載の発光ダイオード灯具。
［項目１９］
前記残光回路モジュール（２００）は更に、前記直流定電圧回路装置（２１０）と前記エネルギー蓄積素子（２２０）の間に設けられ、前記直流定電圧回路装置（２１０）から前記エネルギー蓄積素子（２２０）及び前記残光照明負荷（２５０）への給電経路に対し遮断又は確立するのに用いられる第２のスイッチ（２５２）を含む項目１に記載の発光ダイオード灯具。
［項目２０］
前記第２のスイッチ（２５２）はリモコン又はマイコンによりトリガーされて作動する項目１９に記載の発光ダイオード灯具。
［項目２１］
前記主照明回路モジュール（１００）は更に、前記主照明駆動装置（１１０）内又は前記主照明駆動装置（１１０）と前記主照明負荷（１２０）の間に設けられ且つ前記主照明負荷（１２０）への電源供給に対し遮断又は確立するのに用いられ、リモコン又はマイコンによりトリガーされて作動する第３のスイッチを含む項目１９に記載の発光ダイオード灯具。
［項目２２］
前記残光回路モジュール（２００）は更に、主照明電源が導通されると、残光回路がオフされ、主照明電源が導通されない時に残光回路が作動して残光照明負荷が発光するようにした断路制御装置（２３０）を含む項目１〜２１のいずれか一項に記載の発光ダイオード灯具。
［項目２３］
前記断路制御装置（２３０）は第２のダイオード（２３１）と、第３の抵抗器（２３２）と、第１のキャパシタ（２３３）との組み合わせにより構成される群から選ばれる項目２２に記載の発光ダイオード灯具。
［項目２４］
前記断路制御装置（２３０）は、第３の抵抗器（２３２）と、第３のＮＰＮトランジスタ（２３４）と、第４の抵抗器 （２３５）と、第２のツェナーダイオードとにより構成される群から選ばれる項目２２に記載の発光ダイオード灯具。
［項目２５］
前記残光回路モジュール（２００）は更に、前記残光照明負荷を流れる電流、前記残光照明負荷の発光の輝度及び前記残光照明負荷の発光時間の少なくとも１つを制御するのに用いられる残光照明負荷制御部（２７０）を含む項目１〜２１のいずれか一項に記載の発光ダイオード灯具。
［項目２６］
前記残光照明負荷制御部（２７０）は電流測定回路とタイマー回路とからなる項目２５に記載の発光ダイオード灯具。
［項目２７］
前記直流定電圧回路装置と、前記エネルギー蓄積素子と、前記断路制御装置とが残光照明負荷用電源（２６０）を成し、前記残光照明負荷（２５０）は複数のサブ残光照明負荷（２５０Ａ、２５０Ｂ）を含み、前記残光回路モジュール（２００）は負荷切替回路（２８０）を含み、前記残光照明負荷制御部（２７０）は前記残光照明負荷用電源（２６０）と、前記負荷切替回路（２８０）及びそれらのサブ残光照明負荷（２５０Ａ、２５０Ｂ）とに接続され、前記残光照明負荷用電源（２６０）は前記負荷切替回路（２８０）を介して前記サブ残光照明負荷（２５０Ａ、２５０Ｂ）に接続されることにより、前記サブ残光照明負荷（２５０Ａ、２５０Ｂ）を交替に作動させる項目２５に記載の発光ダイオード灯具。
［項目２８］
前記サブ残光照明負荷（２５０Ａ、２５０Ｂ）の発光色が互いに相違する項目２７に記載の発光ダイオード灯具。
［項目２９］
前記残光照明負荷制御部（２７０）は、前記残光照明負荷を、設定した周波数又はデューティレシオでＰＷＭ点灯式を介して点滅させるようにした制御回路（２７１）を含む項目２５に記載の発光ダイオード灯具。
【符号の説明】
【００７５】
Ｐ…電源、１００…主照明回路モジュール、１１０…主照明駆動装置、１２０…主照明負荷、２００…残光回路モジュール、２１０…直流定電圧装置、２１１…第１のＮＰＮトランジスタ、２１２…第５の抵抗器、２１５…第３のツェナーダイオード、２１６…端子レギュレータ、２１６１…入力端子、２１６２…出力端子、２１６３…共通端子、２２０…エネルギー蓄積素子、２３０…断路制御装置、２３１…第２のダイオード、２３２…第３の抵抗器、２３３…第１のキャパシタ、２３４…第３のＮＰＮトランジスタ、２３５…第４の抵抗器、２３６…第２のツェナーダイオード、２４０…電流制御装置、２４１…第１のＰＮＰトランジスタ、２４２…電圧設定素子、２４３…第１の抵抗器、２４４…第２の抵抗器、２４５…第１のＮＰＮトランジスタ、２４６…第１のＰチャネルトランジスタ、２４７…第１のＮチャネルトランジスタ、２５０…残光照明負荷、２５０Ａ…第１のサブ残光照明負荷、２５０Ｂ…第２のサブ残光照明負荷、２６０…残光照明負荷用電源、２７０…残光照明負荷制御部、２７１…ＰＷＭ制御回路、２８０…負荷切替回路２８０
【図１】
2018101645.tif 000003
【図２】
2018101645.tif 000004
【図３】
2018101645.tif 000005
【図４】
2018101645.tif 000006
【図５】
2018101645.tif 000007
【図６】
2018101645.tif 000008
【図７】
2018101645.tif 000009
【図８】
2018101645.tif 000010
【図９】
2018101645.tif 000011
【図１０】
2018101645.tif 000012
【図１１】
2018101645.tif 000013
【図１２】
2018101645.tif 000014
【図１３】
2018101645.tif 000015
【図１４】
2018101645.tif 000016
【図１５】
2018101645.tif 000017
【図１６】
2018101645.tif 000018
【図１７】
2018101645.tif 000019
【図１８】
2018101645.tif 000020
【図１９】
2018101645.tif 000021
【図２０】
2018101645.tif 000022
【手続補正書】
【提出日】平成30年4月24日(2018.4.24)
【手続補正１】
【補正対象書類名】特許請求の範囲
【補正対象項目名】全文
【補正方法】変更
【補正の内容】
【特許請求の範囲】
【請求項１】
主照明駆動装置（１１０）および主照明負荷（１２０）を含み、前記主照明駆動装置（１１０）は前記主照明負荷（１２０）を駆動して発光させるのに用いられる主照明回路モジュール（１００）と、
前記主照明回路モジュール（１００）に電気的に接続され前記主照明回路モジュール（１００）が提供する直流分圧を受け取る直流定電圧回路装置（２１０）と、前記直流定電圧回路装置（２１０）に電気的に接続されるエネルギー蓄積素子（２２０）と、前記エネルギー蓄積素子（２２０）に電気的に接続される電流制御装置（２４０）と、電流制御装置（２４０）に駆動されて発光する残光照明負荷（２５０）と、を含む残光回路モジュール（２００）と、を含み、
前記残光回路モジュール（２００）は、
前記主照明回路モジュール（１００）に電力を供給する主照明電源が導通される場合に前記残光照明負荷（２５０）が消灯され、前記主照明電源が導通されない場合に前記残光照明負荷（２５０）が点灯されるように構成される断路制御装置（２３０）と、
前記残光照明負荷（２５０）を流れる電流、前記残光照明負荷（２５０）の輝度及び前記残光照明負荷の発光時間の少なくとも１つを制御する残光照明負荷制御部（２７０）と、を含み、
前記直流定電圧回路装置（２１０）と前記エネルギー蓄積素子（２２０）と前記断路制御装置（２３０）が残光照明負荷用電源（２６０）を構成し、
前記残光照明負荷制御部（２７０）は、前記残光照明負荷用電源（２６０）と前記残光照明負荷（２５０）とに電気的に接続され、
前記残光照明負荷制御部（２７０）は、前記主照明負荷（１２０）が消灯してから所定期間内、前記残光照明負荷（２５０）の輝度を前記主照明負荷（１２０）の消灯直前の輝度以下である第１の輝度になるように制御し、前記所定期間を過ぎてから、前記残光照明負荷（２５０）の輝度を変化して前記第１の輝度より低い第２の輝度になるように制御する、発光ダイオード灯具。
【請求項２】
前記電流制御装置（２４０）は、第１のＮＰＮトランジスタ（２４５）を含み、残光照明負荷（２５０）の負極が前記第１のＮＰＮトランジスタ（２４５）のコレクタに接続され、前記電流制御装置（２４０）は、前記第１のＮＰＮトランジスタ（２４５）に接続される電圧設定素子（２４２）をさらに含んでいる請求項１に記載の発光ダイオード灯具。
【請求項３】
前記電流制御装置（２４０）は第１のＮチャネルトランジスタ（２４７）を含み、残光照明負荷（２５０）の負極が前記第１のＮチャネルトランジスタ（２４７）のドレインに接続され、前記電流制御装置（２４０）は前記第１のＮチャネルトランジスタ（２４７）に接続される電圧設定素子（２４２）をさらに含んでいる請求項１に記載の発光ダイオード灯具。
【請求項４】
前記電圧設定素子（２４２）は、第２のＮＰＮトランジスタと、第１のダイオードと、第１のツェナーダイオードとの組み合わせにより構成される群から選ばれる請求項２に記載の発光ダイオード灯具。
【請求項５】
前記電圧設定素子（２４２）は、第２のＮＰＮトランジスタと、第１のダイオードと、第１のツェナーダイオードとの組み合わせにより構成される群から選ばれる請求項３に記載の発光ダイオード灯具。
【請求項６】
前記電流制御装置（２４０）は第１のＰＮＰトランジスタ（２４１）を含み、前記残光照明負荷（２５０）の正極が前記第１のＰＮＰトランジスタ（２４１）のコレクタに接続され、前記電流制御装置（２４０）は、前記第１のＰＮＰトランジスタ（２４１）に接続される電圧設定素子（２４２）をさらに含んでいる請求項１に記載の発光ダイオード灯具。
【請求項７】
前記電流制御装置（２４０）は第１のＰチャネルトランジスタ（２４６）を含み、前記残光照明負荷（２５０）の正極が前記第１のＰチャネルトランジスタ（２４６）のドレインに接続され、前記電流制御装置（２４０）は、前記第１のＰチャネルトランジスタ（２４６）に接続される電圧設定素子（２４２）をさらに含んでいる請求項１に記載の発光ダイオード灯具。
【請求項８】
前記電圧設定素子（２４２）は第２のＰＮＰトランジスタと、第１のダイオードと、第１のツェナーダイオードとの組み合わせにより構成される群から選ばれる請求項６に記載の発光ダイオード灯具。
【請求項９】
前記電圧設定素子（２４２）は第２のＰＮＰトランジスタと、第１のダイオードと、第１のツェナーダイオードとの組み合わせにより構成される群から選ばれる請求項７に記載の発光ダイオード灯具。
【請求項１０】
前記直流定電圧回路装置（２１０）は直列接続型定電圧回路であり、前記直列接続型定電圧回路は、第１のＮＰＮトランジスタ（２１１）と、第５の抵抗器（２１２）と、および第３のツェナーダイオード（２１５）を含み、前記第３のツェナーダイオード（２１５）の負極は、第１のＮＰＮトランジスタ（２１１）のベースに接続される請求項１に記載の発光ダイオード灯具。
【請求項１１】
前記直流定電圧回路装置（２１０）は並列接続型定電圧回路であり、前記直流定電圧回路装置（２１０）は第５の抵抗器（２１２）と第３のツェナーダイオード（２１５）とを含み、前記第３のツェナーダイオード（２１５）の負極は前記第５の抵抗器（２１２）に接続される請求項１に記載の発光ダイオード灯具。
【請求項１２】
前記直流定電圧回路装置（２１０）は３端子レギュレータ（２１６）である請求項１に記載の発光ダイオード灯具。
【請求項１３】
前記直流定電圧回路装置（２１０）はスイッチングレギュレータである請求項１に記載の発光ダイオード灯具。
【請求項１４】
前記直流定電圧回路装置（２１０）はバッテリ充電回路である請求項１に記載の発光ダイオード灯具。
【請求項１５】
前記主照明負荷は複数の発光ダイオードからなり、前記主照明負荷の一部又は全部の発光ダイオードは残光照明負荷として用いられる請求項１に記載の発光ダイオード灯具。
【請求項１６】
前記断路制御装置（２３０）は第２のダイオード（２３１）と、第３の抵抗器（２３２）と、第１のキャパシタ（２３３）との組み合わせにより構成される群から選ばれる請求項１に記載の発光ダイオード灯具。
【請求項１７】
前記断路制御装置（２３０）は、第３の抵抗器（２３２）と、第３のＮＰＮトランジスタ（２３４）と、第４の抵抗器（２３５）と、第２のツェナーダイオードとにより構成される群から選ばれる請求項１に記載の発光ダイオード灯具。
【請求項１８】
前記残光照明負荷（２５０）は複数のサブ残光照明負荷（２５０Ａ、２５０Ｂ）を含み、前記残光回路モジュール（２００）は負荷切替回路（２８０）を含み、前記残光照明負荷制御部（２７０）は前記残光照明負荷用電源（２６０）と、前記負荷切替回路（２８０）と、前記複数のサブ残光照明負荷（２５０Ａ、２５０Ｂ）とに接続され、前記残光照明負荷用電源（２６０）は前記負荷切替回路（２８０）を介して前記サブ残光照明負荷（２５０Ａ、２５０Ｂ）に接続されることにより、前記複数のサブ残光照明負荷（２５０Ａ、２５０Ｂ）を交替に作動させる請求項１に記載の発光ダイオード灯具。
【請求項１９】
前記複数のサブ残光照明負荷（２５０Ａ、２５０Ｂ）の発光色が互いに相違する請求項１８に記載の発光ダイオード灯具。
【請求項２０】
前記残光照明負荷制御部（２７０）は、前記残光照明負荷（２５０）を、設定した周波数又はデューティレシオでＰＷＭ点灯式を介して点滅させるようにした制御回路（２７１）を含む請求項１に記載の発光ダイオード灯具。
【請求項２１】
前記残光照明負荷制御部（２７０）は、タイマー回路と電流測定回路とからなる、請求項１に記載の発光ダイオード灯具。